(57)【要約】  本発明は、固定フレームと、少なくとも１つのガスケットＧａと、少なくとも１つの内側に開放可能なフレームレス開き窓とを含む、水密性を改善したガラス張り要素に関し、開き窓は、少なくとも１つの熱処理ガラス板を含む窓ガラスを外側位置に含む複層ガラスを含み、窓ガラスは、少なくともその底縁部に、最大で３．０ｍｍ／ｍの全体的な湾曲を有し、ガスケットＧａは、ガラス張り要素が閉じた状態にあるときに、固定フレームと窓ガラスの少なくとも底縁部とに連続的に接触するようなものとされる。【選択図】図１
2019531429.tif 000002
【特許請求の範囲】
【請求項１】
固定フレームと、少なくとも１つのガスケットＧａと、少なくとも１つの内側に開放可能なフレームレス開き窓とを含むガラス張り要素であって、
・前記開き窓は、少なくとも１つの熱処理ガラス板を含む窓ガラスを外側位置に含む複層ガラスを含み、
・前記ガスケットＧａは、前記開き窓の周縁部に沿って延び、前記窓ガラスの外面と前記固定フレームとの間に配置される、ガラス張り要素において、
・前記窓ガラスは、その底縁部に、ＥＮ  １８６３−１：２０１１に準拠して測定した、最大で３．０ｍｍ／ｍの全体的な湾曲を有し、
・前記ガスケットＧａは、前記ガラス張り要素が閉じた状態にあるときに、前記固定フレームと前記窓ガラスの前記底縁部とに連続的に接触するようなものとされることを特徴とするガラス張り要素。
【請求項２】
前記窓ガラスは、単一の熱処理ガラス板である、請求項１に記載のガラス張り要素。
【請求項３】
前記窓ガラスは、少なくとも１つの熱処理ガラス板を含む合わせガラスである、請求項１に記載のガラス張り要素。
【請求項４】
前記熱処理ガラス板は、少なくとも部分的にコーティングされる、請求項１〜３のいずれか一項に記載のガラス張り要素。
【請求項５】
・前記窓ガラスは、側縁部に、ＥＮ  １８６３−１：２０１１に準拠して測定した、最大で３．０ｍｍ／ｍの全体的な湾曲を有し、
・前記ガスケットＧａは、前記ガラス張り要素が閉じた状態にあるときに、前記固定フレームと前記窓ガラスの前記側縁部とに連続的に接触するようなものとされる、請求項１〜４のいずれか一項に記載のガラス張り要素。
【請求項６】
前記固定フレームに沿って延び、前記固定フレームと前記開き窓とに連続的に接触し、前記ガスケットＧａに対して内側に配置されたガスケットＧｂを含み、前記ガスケットＧａは、前記固定フレームと前記窓ガラスの上縁部とに非連続的に接触する、請求項１〜５のいずれか一項に記載のガラス張り要素。
【請求項７】
前記ガスケットＧｂは、前記固定フレームと前記開き窓の前記複層ガラスのガラス板とに連続的に接触し、前記ガラス板は、外側位置にある前記窓ガラスとは異なる、請求項１〜６のいずれか一項に記載のガラス張り要素。
【請求項８】
前記ガスケットＧａは、前記固定フレームと前記窓ガラスの前記上縁部との間で非連続的である、請求項６または７に記載のガラス張り要素。
【請求項９】
前記ガスケットＧａは、前記固定フレームに固定され、前記ガラス張り要素が閉じた状態にあるときに、前記ガラス張り要素の主要部の方を向いた、少なくとも１つの変形可能なリップを含む、請求項１〜８のいずれか一項に記載のガラス張り要素。
【請求項１０】
固定フレームと、ガスケットＧａと、間に仕切りのない、少なくとも２つの内側に開放可能なフレームレス開き窓Ｃａ、Ｃｂとを含むガラス張り要素であって、
・各開き窓は、少なくとも１つの熱処理ガラス板を含む窓ガラスを外側位置に含む複層ガラスを含み、
・前記ガスケットＧａは、前記固定フレームの周縁部に沿って延び、各窓ガラスの外面と前記固定フレームとの間に配置される、ガラス張り要素において、
・各窓ガラスは、その底縁部に、ＥＮ  １８６３−１：２０１１に準拠して測定した、最大で３．０ｍｍ／ｍの全体的な湾曲を有し、
・前記ガスケットＧａは、前記ガラス張り要素が閉じた状態にあるときに、前記固定フレームと各窓ガラスの前記底縁部とに連続的に接触するようなものとされ、
・ガスケットＧｃが、開き窓Ｃｂに隣接する開き窓Ｃａの垂直縁部に固定され、
・開き窓Ｃｂの前記窓ガラスは、開き窓Ｃａに隣接するその垂直縁部に、ＥＮ  １８６３−１：２０１１に準拠して測定した、最大で３．０ｍｍ／ｍの全体的な湾曲を有し、
・前記ガスケットＧｃは、開き窓Ｃｂの前記窓ガラスの前記垂直縁部と開き窓Ｃａの隣接する垂直縁部とに連続的に接触するようなものとされることを特徴とするガラス張り要素。
【請求項１１】
前記窓ガラスは、単一の熱処理ガラス板である、請求項１０に記載のガラス張り要素。
【請求項１２】
前記窓ガラスは、少なくとも１つの熱処理ガラス板を含む合わせガラスである、請求項１０に記載のガラス張り要素。
【請求項１３】
前記熱処理ガラス板は、少なくとも部分的にコーティングされる、請求項１０〜１２のいずれか一項に記載のガラス張り要素。
【請求項１４】
・各窓ガラスは、前記固定フレームに隣接する側縁部に、ＥＮ  １８６３−１：２０１１に準拠して測定した、最大で３．０ｍｍ／ｍの全体的な湾曲を有し、
・前記ガスケットＧａは、前記ガラス張り要素が閉じた状態にあるときに、前記固定フレームと、前記固定フレームに隣接する各窓ガラスの側縁部とに連続的に接触するようなものとされる、請求項１０〜１３のいずれか一項に記載のガラス張り要素。
【請求項１５】
・前記固定フレーム全体に沿って、前記固定フレームおよび各開き窓に連続的に接触し、前記ガスケットＧａに対して内側に配置されたガスケットＧｂを含み、
・ガスケットＧｄが、開き窓Ｃａに隣接する開き窓Ｃｂの前記垂直縁部に固定され、前記ガラス張り要素が閉じた状態にあるときに、ガスケットＧｄは、開き窓Ｃａに連続的に接触し、ガスケットＧｃに対して内側に配置され、
・ガスケットＧｂ、Ｇｄは、前記ガラス張り要素が閉じた状態にあるときに接触状態にあり、
・前記ガスケットＧａは、前記固定フレームと各窓ガラスの上縁部とに非連続的に接触する、請求項１０〜１４のいずれか一項に記載のガラス張り要素。
【請求項１６】
前記ガスケットＧｂは、前記固定フレーム全体に沿って、前記固定フレームと、各開き窓Ｃａ、Ｃｂの前記複層ガラスの中の外側位置の前記窓ガラスとは異なるガラス板とに連続的に接触し、前記ガスケットＧｄは、開き窓Ｃａの同じガラス板に連続的に接触する、請求項１０〜１５のいずれか一項に記載のガラス張り要素。
【請求項１７】
前記ガスケットＧａは、前記固定フレームと各窓ガラスの前記上縁部との間で非連続的である、請求項１５または１６に記載のガラス張り要素。
【請求項１８】
前記ガスケットＧａは、前記固定フレームに固定され、前記ガラス張り要素が閉じた状態にあるときに、前記ガラス張り要素の主要部の方を向いた、少なくとも１つの変形可能なリップを含む、請求項１０〜１７のいずれか一項に記載のガラス張り要素。
【発明の詳細な説明】
【技術分野】
【０００１】
本発明は、熱処理されたガラス板を含むフレームレス開き窓が使用される場合の水密性を改善した、ガラス窓、ガラスドア、ガラス壁、ガラスファサードなどのガラス張り要素に関する。
【背景技術】
【０００２】
ビルディングの内部を外部から切り離す、ガラス窓、ガラスドア、ガラス壁、ガラスファサードなどのガラス張り要素は、通常、固定フレームと、少なくとも１つの開放可能な開き窓と、水の浸入を防止するために、ガラス張り要素の固定フレームと開放可能な開き窓との間の空間を遮断する、ガスケットとも呼ばれる１つまたは複数の封止手段とを用いて設計および構築される。
【０００３】
ガラス張り要素は通常、居住用であってもなくても、ビルディング外面に使用されることを意図されているので、負傷および落下からの人々の保護を保証するのに、安全ガラスが適切であり得る。これは、特に、ガラス張り要素が大型の場合である。安全ガラスとは、例えば、熱処理ガラスまたは合わせガラスである。
【０００４】
ガラス板の熱処理により、大きな変形が生じることがある。熱処理ガラス板を含む標準のガラス張り要素では、ガスケットが、固定フレームと開放可能な開き窓のフレーム要素との間に配置されるので、変形は問題ではない。一方、開放可能な開き窓の一部の、またはすべてのフレーム要素がないフレームレスガラス張り要素の場合、開き窓の１つまたは複数のガラス板は、ガスケットに直接接触することができ、変形は、水密性の点で問題であり得る。
【０００５】
さらに、フレームレス用途で使用されるガラス板は、通常、ハードウェア手段などの要素を隠すために、周縁部にエナメル層を含む。エナメルは、焼成熱処理を必要とする。ガラス板の周縁部は異なっているので、周縁部は、熱処理時に板の残りの部分とは異なって反応して、面が均質なガラス板に関して変形を大きくする。フレームレス用途で使用されるガラス板は通常、断熱性能を改善するために、低放射率被覆または太陽光制御被覆を含むこともでき、この被覆は、縁部で欠失する。エナメル周縁層および縁部欠失被覆の両方が使用される場合、ガラス板周縁部は、ガラス板の残りの部分とはいっそう異なる。
【０００６】
要素のこの組み合わせは、ガスケットと熱処理ガラス板との間の接触をより困難にする。したがって、水密性は、フレームレスガラス張り要素にとって難易度の高いものである。
【発明の概要】
【発明が解決しようとする課題】
【０００７】
本発明の目的は、水密性が改善された、開放可能なフレームレス開き窓を含むガラス張り要素を提供することである。
【０００８】
本発明の目的は、例えば、ＥＮ  １２２０８：１９９９およびＥＮ  １０２７：２０１６に準拠して測定した水密性が改善された、開放可能なフレームレス開き窓を含むガラス張り要素を提供することである。
【０００９】
本発明の目的はまた、ガラス張り要素の美観にあまり悪影響を与えないまま、水密性が改善される、開放可能なフレームレス開き窓を含むガラス張り要素を提供することである。
【００１０】
本発明の別の目的は、ガラス張り要素を閉じる力を小さい状態に保ちながら、水密性が改善される、開放可能なフレームレス開き窓を含むガラス張り要素を提供することである。
【００１１】
本発明の別の目的は、水密性および安全機能が改善された、開放可能なフレームレス開き窓を含むガラス張り要素を提供することである。
【００１２】
本発明の別の目的は、水密性が改善され、断熱性能が高い、開放可能なフレームレス開き窓を含むガラス張り要素を提供することである。
【００１３】
本発明の別の目的は、水密性および吸音性能が改善された、開放可能なフレームレス開き窓を含むガラス張り要素を提供することである。
【００１４】
本発明の別の目的は、上記の利点を有する、複数の開放可能なフレームレス開き窓を含むガラス張り要素を提供することである。
【課題を解決するための手段】
【００１５】
このために、本発明は、固定フレームと、少なくとも１つのガスケットＧａと、少なくとも１つの内側に開放可能なフレームレス開き窓とを含むガラス張り要素に関し、
・開き窓は、少なくとも１つの熱処理ガラス板を含む窓ガラスを外側位置に含む複層ガラスを含み、
・ガスケットＧａは、開き窓の周縁部に沿って延び、窓ガラスの外面と固定フレームとの間に配置され、
この場合に、
・窓ガラスは、その底縁部に、ＥＮ  １８６３−１：２０１１に準拠して測定した、最大で３．０ｍｍ／ｍの全体的な湾曲を有し、
・ガスケットＧａは、ガラス張り要素が閉じた状態にあるときに、固定フレームと窓ガラスの底縁部とに連続的に接触するようなものとされる。
【００１６】
ガラス張り要素とは、ガラス窓、ガラスドア、ガラス壁、ガラスファサードなどを意味する。
【００１７】
本発明のガラス張り要素は固定フレームを含み、固定フレームは、ビルディングの支持構造物に固定され、動かすことができない連続構成要素である。固定フレームは通常、木材、金属、プラスチック、複合材、またはそれらの組み合わせで作製される。
【００１８】
本発明のガラス張り要素はまた、少なくとも１つの内側に開放可能なフレームレス開き窓を含む。開放可能な開き窓は、ハードウェア手段によって固定フレームに連結された開放可能な構成要素であり、固定フレームによって画定される開口を塞ぐ。ハードウェア手段は、内側に開放可能な開き窓を意図した通りに操作するのに必要なすべての装置、取付具、またはアセンブリを含む。開き窓は通常、正方形または長方形形状を有する。開き窓は、フレームレスの開き窓、すなわち、開き窓の一部の、またはすべてのフレーム要素をなくすことで、標準のものよりも広い透明面を有する開き窓である、あるいは一部のフレーム要素は、ガラス板で隠されるために見えない。開き窓は、任意のスライド式開き窓、ビルディングの内部に向かって開く任意の傾転および／または回転式開き窓とすることができる。
【００１９】
開き窓は、少なくとも１つの熱処理ガラス板を含む窓ガラスを外側位置に含む複層ガラスを含む。外側位置にある窓ガラスは、建物の外部と接触する面を有するものである。窓ガラスは、単一の熱処理ガラス板か、または少なくとも１つの熱処理ガラス板を含む合わせガラスのいずれかとすることができる。
【００２０】
熱処理ガラス板とは、熱補強処理（ｈｅａｔ  ｓｔｒｅｎｇｔｈｅｎｉｎｇ）（ＥＮ  １８６３−１：２０１１に準拠）、熱強化処理（ｔｈｅｒｍａｌ  ｔｏｕｇｈｅｎｉｎｇ）（ＥＮ  １２１５０−２：２０１５に準拠）、または熱強化およびヒートソーク処理（ＥＮ  １４１７９−２：２００５に準拠）などの、当業者に公知の任意の熱処理によって処理されたものである。これらの標準規格に準拠して処理されたガラス板は、安全ガラスとして適切である。熱処理されるガラス板は、あらゆるガラス技術、その中でも、フロートクリアガラス、エクストラクリアガラス、または色付きガラスと、（部分的に）酸エッチング処理された、または（部分的に）サンドブラスト処理されたガラスと、それらの組み合わせとの中から選択することができる。この板は、部分的にコーティングされるのが好ましい。部分コーティングされるとは、ガラス板の表面の一部が、低放射率被覆または太陽光制御被覆、あるいはエナメル、あるいはそれらの組み合わせでコーティングされることを意味する。実施形態では、熱処理されるガラス板は、その周縁にエナメルを引かれて、フレームレス開き窓のハードウェア手段などの要素を隠すことを可能にする。別の実施形態では、ガラス板は、断熱性能を改善するための低放射率被覆または太陽光制御被覆を有し、この被覆は、縁部で欠失する。好ましい実施形態では、ガラス板は、その周縁部にエナメルを引かれ、縁部で欠失する低放射率被覆または太陽光制御被覆を有する。
【００２１】
合わせガラスは通常、ポリビニルブチラール（ＰＶＢ）、エチレンビニルアセテート（ＥＶＡ）、熱可塑性ポリウレタン（ＴＰＵ）などのポリマー膜、またはＳｅｎｔｒｙＧｌａｓ（登録商標）などのアイオノマー樹脂中間膜によって組み立てられた２つ以上のガラス板からなる。破損した場合、ガラス片は、ポリマー膜に付着したまま残って、人々の負傷を回避し、仕切り機能を維持する。合わせガラスは、安全ガラスとして適切であり、吸音性能をもたらす。本発明による合わせガラスは、上記の少なくとも１つの熱処理ガラス板を含む。合わせガラスおよび複層ガラスの１つまたは任意選択でそれを超える他のガラス板は、あらゆるガラス技術、その中でも、任意選択で、低放射率被覆または太陽光制御被覆を有するフロートクリアガラス、エクストラクリアガラス、または色付きガラスと、酸エッチング処理され、またはサンドブラスト処理され（または、部分的にそのように処理され）、任意選択で、熱処理および／または積層されたガラスと、動的特性を有するガラス製品と、エレクトロクロミックガラスなどのいわゆる活性ガラスと、絵付けされた（または部分的に絵付けされた）ガラスと、それらの組み合わせとから選択することができる。
【００２２】
複層ガラスは、二重または三重ガラスであるのが好ましい。
【００２３】
複層ガラスの２つのガラス板間で、またはガラス板と合わせガラスとの間で画定される任意の間空を乾燥空気、またはアルゴンもしくはクリプトンなどの不活性ガスで、またはそれらの混合物でさらに満たして、熱交換を抑制し、断熱性能を改善することができる。
【００２４】
ガラス張り要素は通常、十分な水密性能を保証するために、１つまたは複数のガスケットを含む。ガスケットは、例えば、天然ゴムまたは合成ゴムなどの耐久性のある弾性材料で作製される。ガスケットは、単純型か、または中空かのいずれかとすることができる。本発明のガラス張り要素は、開き窓の周縁部に沿って延び、窓ガラスの外面と固定フレームとの間に配置された第１のガスケットＧａを含む。窓ガラスの外面とは、ビルディングの外部と接触する面を意味する。ガスケットＧａは、固定フレームまたは窓ガラスに固定することができる。ガスケットＧａは、固定フレームに固定されるのが好ましい。これは、特に、開いた状態でガラス張り要素の美観が重要である用途において有益である。
【００２５】
本発明の窓ガラスは、単一の熱処理ガラス板、または熱処理ガラス板を含む合わせガラスである。両方の場合において、窓ガラスは、熱処理時に、熱処理されたガラス板が変形するために平らではない。変形は、熱処理ガラス板がその周縁部にエナメルを引かれ、かつ／または縁部で欠失する低放射率被覆または太陽光制御被覆を含む場合により深刻である。実際上、周縁部がガラス板の残りの部分とは異なるこれらの場合に、熱処理によって引き起こされる変形は大きい。合わせガラスの場合に、熱処理ガラス板の変形は、積層構造により部分的に相殺される。
【００２６】
熱処理ガラス板を含む本発明の窓ガラスは、その底縁部に、ＥＮ  １８６３−１：２０１１に準拠して測定した、最大で３．０ｍｍ／ｍの全体的な湾曲を有し、ガスケットＧａは、ガラス張り要素が閉じた状態にあるときに、固定フレームと窓ガラスの底縁部とに連続的に接触するようなものとされる。窓ガラスの底縁部とは、窓ガラスの下縁部を意味する。底縁部は、水が集積しやすく、水密性が最も重要な縁部である。連続的な接触とは、ガラス張り要素が閉じた状態にあるときに、ガスケットＧａと固定フレームと窓ガラスの底縁部との間の接触が途切れず、そのため、水が浸入する開放空間がないことを意味する。ガスケットＧａの形状および大きさは、固定フレームと窓ガラスの底面部との接触が途切れないようなものとされる。ガスケットＧａの形状および大きさは、有利にも、ガラス張り要素の美観にあまり悪影響を与えないようなものとすることもできる。
【００２７】
標準規格ＥＮ  １８６３−１：２０１１は、ビルディングで使用する倍強度モノリシックソーダ石灰珪酸塩ガラスの平面度公差に関する。この標準規格では、ガラス板が規格に準拠し、ビルディング用途で使用可能であるには、５．０ｍｍ／ｍの最大全体湾曲が必要とされるが、必要平面度と、ガラス板を含むガラス張り要素の水密性との間の関連はない。当然のことながら、標準的なガラス張り要素と同様に、ガスケットは、固定フレームと開放可能な開き窓のフレーム要素との間に配置され、ガスケットとガラス板との間の直接接触は存在しない。この標準規格は、本明細書において、本発明の窓ガラスの変形を特性化するために使用される。
【００２８】
標準規格では、モノリシック倍強度ガラス板が必要平面度を満たすために、５．０ｍｍ／ｍの最大全体湾曲が必要とされる。しかし、ガスケットＧａが、窓ガラスの外面と固定フレームとの間に配置される、本発明によるガラス張り要素に対して十分な水密性を保証するために、窓ガラスに関して３．０ｍｍ／ｍの最大値が必要とされる。
【００２９】
本発明のガラス張り要素は、改善された水密性を有する。本発明のガラス張り要素は、例えば、ＥＮ  １２２０８：１９９９（分類）、およびＥＮ  １０２７：２０１６（試験条件）に準拠して測定された、改善された水密性を有する。さらに、有利にも、湾曲を抑制することで、ガラス張り要素を閉じたときに、固定フレームと窓ガラスの底縁部とに連続的に接触するガスケットＧａの変形が小さくなり、ガラス張り要素を閉じるのに、より小さい力で済ますことができる。
【００３０】
全体的な湾曲は、好ましくは最大で２．８ｍｍ／ｍ、より好ましくは最大で２．５ｍｍ／ｍである。
【００３１】
そのような抑制された湾曲は、ガラス板が処理時に実質的に均一な温度になるのを可能にする、すなわち、ガラス板の縁部とその中心との間の温度勾配を制限するなどの熱処理パラメータの最適化によって得ることができる。パラメータは、加熱炉の特異性に応じて、個別に最適化されなければならない。対象となるパラメータは、加熱炉内でのガラス板の滞留時間であり、この滞留時間は、ガラス板温度が均一化するのを可能にするために延長されなければならない。滞留時間の延長は、製造効率を考慮して最適化されなければならない。
【００３２】
本発明の実施形態では、窓ガラスは、側縁部に、ＥＮ  １８６３−１：２０１１に準拠して測定した、最大で３．０ｍｍ／ｍの全体的な湾曲を有し、ガスケットＧａは、ガラス張り要素が閉じた状態にあるときに、固定フレームと窓ガラスの側縁部とに連続的に接触する。窓ガラスの側縁部は、窓ガラスの底縁部によって分離される縁部である。ガラス張り要素が直立した状態にある場合に、側縁部は垂直縁部である。側縁部の抑制された湾曲と、固定フレームとガスケットＧａとの連続的な接触と、底縁部に加えて同じ側縁部とガスケットＧａとの連続的な接触とは、ガラス張り要素の水密性をさらに改善し、ガラス張り要素を閉じるのに必要とされる力を妥当なレベルに維持するのに寄与する。
【００３３】
全体的な湾曲は、好ましくは最大で２．８ｍｍ／ｍ、より好ましくは最大で２．５ｍｍ／ｍである。
【００３４】
本発明の別の実施形態では、ガラス張り要素は、第２のガスケットＧｂを含む。ガスケットＧｂは、固定フレーム全体に沿って延び、固定フレームおよび開き窓に連続的に接触し、ガスケットＧａに対して内側に配置される。ガスケットＧｂは、固定フレームまたは窓ガラスに固定することができる。ガスケットＧｂは、固定フレームに固定されるのが好ましい。これは、特に、開いた状態でガラス張り要素の美観が重要である用途において有益である。ガスケットＧｂは、概ね開き窓の方を向いたリップとして設計され、前記開き窓と接触する部分を含む。ガスケットＧｂは通常、ガラス張り要素が閉じたときに見えない。したがって、リップの形状および大きさは、固定フレームと開き窓との間の空間を密閉して塞ぐように、ガスケットＧａよりも柔軟に設計することができる。ガスケットＧａの形状および大きさは、実際上、有利にも、ガラス張り要素の美観または透明面にあまり悪影響を与えないように選択される。
【００３５】
ガスケットＧｂは、その全長に沿って固定フレームおよび開き窓と連続的に接触し、気密性および水密性である。ガスケットＧｂは、ガスケットＧａに対して内側に配置される、つまり、ガスケットＧｂは、ガスケットＧａよりもビルディングの内部に近い、ガラス張り要素内の所定の位置にある。ガスケットＧａ、Ｇｂは、それらの間に、固定フレームと開き窓との間に延びる周縁間空を画定する。厳しい雨天条件において、一部の水が間空に浸入することがある。ガスケットＧｂは気密性および水密性であるので、ガスケットＧａは、固定フレームと窓ガラスの上縁部とに非連続的に接触して、浸入した水が、例えば、排水手段を通って、ガラス張り要素から抜けるのを可能にする。非連続的な接触とは、ガスケットＧａと、固定フレームと、窓ガラスの上縁部との間の接触が、１つまたは複数の部分で途切れることを意味する。ガスケットＧａが、その全長に沿って窓ガラスおよび固定フレームと連続的に接触する場合、水の排出により、間空内が減圧されて、余分な水が抜けるのが妨げられる。水が集積するリスクが、上縁部での一番の弱点であるので、Ｇａは、固定フレームと窓ガラスの上縁部とに非連続的に接触する。
【００３６】
この実施形態の変形型では、ガスケットＧｂは、固定フレームと、開き窓の複層ガラスの中の外側位置の窓ガラスとは異なるガラス板とに接触する。
【００３７】
この実施形態および変形型では、非連続的な接触は、湾曲が最大で３．０ｍｍ／ｍの制限を受けない上縁部での窓ガラスの変形による接触の途切れとすることができる。あるいは、非連続的な接触は、この縁部での非連続的なガスケットＧａの使用によって得ることができる、すなわち、この縁部のガスケットＧａは、いくつかの非連続的な部分で形成される。
【００３８】
本発明のさらに別の実施形態では、ガスケットＧａは固定フレームに固定され、ガラス張り要素が閉じた状態にあるときに、ガラス張り要素の主要部の方を向いた、少なくとも１つの変形可能なリップを含む。ガスケットＧａを固定フレームに固定することで、開き窓が閉じた状態にあるときに窓ガラスと接触する、変形可能なリップが存在可能になる。これは、ガスケットが窓ガラスに固定される場合では不可能である。リップは、変形してガスケットが最大で３．０ｍｍ／ｍの湾曲を有する窓ガラス縁部の形状に適応するのをより容易な方法で可能にするような形状および大きさを有する。さらに、変形可能なリップを有するガスケットＧａの形状および大きさは、ガラス張り要素の美観にあまり悪影響を与えないようなものとするのが好ましい。ガスケットＧａの形状および大きさはまた、有利にも、ガラス張り要素の外部に向けた水の排出を容易にし、ガラス張り要素を閉じるのに必要とされる力を妥当なレベルに保つことができる。形状および大きさは、有利にも、美観面と、水抜きと、開き窓を閉じる力との間の良好なバランスをもたらす。
【００３９】
変形がより重要な場合、例えば、熱処理ガラス板が部分的にコーティングされる場合に、または大型のガラス張り要素に対して、湾曲を抑制するのに加えて、変形可能なリップを有するガスケットの存在が、水密性を改善するのに特に重要である。あるいは、湾曲を抑制するのと、合わせガラスの窓ガラスとを組み合わせることができ、その理由は、積層構造が、熱処理ガラス板の変形を部分的に相殺するからである。湾曲を抑制するのと、変形可能なリップを有するガスケットと、合わせガラスの窓ガラスとを組み合わせることも可能である。
【００４０】
本発明はまた、固定フレームと、ガスケットＧａと、間に仕切りのない、少なくとも２つの内側に開放可能なフレームレス開き窓Ｃａ、Ｃｂとを含むガラス張り要素に関し、
・各開き窓は、少なくとも１つの熱処理ガラス板を含む窓ガラスを外側位置に含む複層ガラスを含み、
・ガスケットＧａは、固定フレームの周縁部に沿って延び、各窓ガラスの外面と固定フレームとの間に配置され、
この場合に、
・各窓ガラスは、その底縁部に、ＥＮ  １８６３−１：２０１１に準拠して測定した、最大で３．０ｍｍ／ｍの全体的な湾曲を有し、
・ガスケットＧａは、ガラス張り要素が閉じた状態にあるときに、固定フレームと各窓ガラスの底縁部とに連続的に接触するようなものとされ、
・ガスケットＧｃが、開き窓Ｃｂに隣接する開き窓Ｃａの垂直縁部に固定され、
・開き窓Ｃｂの窓ガラスは、開き窓Ｃａに隣接するその垂直縁部に、ＥＮ  １８６３−１：２０１１に準拠して測定した、最大で３．０ｍｍ／ｍの全体的な湾曲を有し、
・ガスケットＧｃは、開き窓Ｃｂの窓ガラスの前記垂直縁部と、開き窓Ｃａの隣接する垂直縁部とに連続的に接触するようなものとされる。
【００４１】
この場合に、すでに説明したすべての特徴部は同様に適用される。この構成では、すでに説明した少なくとも２つの開き窓は、それらの間に仕切りがない形で、すなわち、それらの間に垂直方向の固定フレーム要素がない形で使用される。この構成はまた、前の側縁部とは異なる別の側縁部が、隣接する開き窓との接合部で各開き窓に存在することを示唆する。
【００４２】
仕切りのない結果、固定フレームの周縁部に沿って延びるガスケットＧａは、開き窓間の垂直接合部のレベルに存在しない。ガスケットＧｃは、このレベルに固定され、開き窓Ｃｂに隣接する開き窓Ｃａの垂直縁部に固定される。
【００４３】
開き窓Ｃｂの窓ガラスは、開き窓Ｃａに隣接するその垂直縁部に、ＥＮ  １８６３−１：２０１１に準拠して測定した、最大で３．０ｍｍ／ｍの全体的な湾曲を有し、ガスケットＧｃは、開き窓Ｃｂの窓ガラスの前記垂直縁部と、開き窓Ｃａの隣接する垂直縁部とに連続的に接触するようなものとされる。
【００４４】
そのようなガラス張り要素は、改善された水密性を有する。そのようなガラス張り要素は、例えば、ＥＮ  １２２０８：１９９９、およびＥＮ  １０２７：２０１６に準拠して測定された、改善された水密性を有する。さらに、有利にも、湾曲を抑制することで、ガラス張り要素を閉じたときに固定フレームと窓ガラスの底縁部とに連続的に接触するガスケットＧａ、Ｇｃの変形が小さくなり、ガラス張り要素を閉じるのに、より小さい力で済ますことができる。
【００４５】
この構成の実施形態では、ガスケットＧｄが、開き窓Ｃａに隣接する開き窓Ｃｂの垂直縁部に固定される。ガラス張り要素が閉じた状態にあるときに、ガスケットＧｄは、開き窓Ｃａと連続的に接触し、ガスケットＧｃに対して内側に配置される。この閉じた状態では、ガスケットＧｂ、Ｇｄは接触して、水密および気密バリアを形成する。上記のように、ガラス張り要素に進入した水の排水は、ガスケットＧａが、固定フレームと各窓ガラスの上縁部とに非連続的に接触することから可能である。
【００４６】
この実施形態の変形型では、ガスケットＧｂは、固定フレーム全体に沿って、前記固定フレームと、各開き窓Ｃａ、Ｃｂの複層ガラスの中の外側位置の窓ガラスとは異なるガラス板とに連続的に接触し、ガスケットＧｄは、開き窓Ｃａの同じガラス板に連続的に接触する。したがって、Ｇｄは、開き窓Ｃｂと、Ｃａの前記ガラス板との間で連続的に接触する。
【００４７】
上記の少なくとも１つの内側に開放可能なフレームレス開き窓を含むガラス張り要素の他の実施形態および変形型は、内側に開放可能な少なくとも２つのフレームレス開き窓を含むガラス張り要素に同様に適用される。
【００４８】
本発明は、本発明の範囲を何ら限定しない添付図に照らして以下の説明を読んだときに、より深く理解されるであろう。
【図面の簡単な説明】
【００４９】
【図１】本発明の第１の実施形態によるガラス張り要素の固定フレームの底縁部の断面図であり、ガラス張り要素は開いた状態にある。
【図２】図１の実施形態によるガラス張り要素の底縁部の断面図を示しており、ガラス張り要素は閉じた状態にあり、外側位置にある開き窓の窓ガラスは熱処理ガラス板である。
【図３】本発明の別の実施形態によるガラス張り要素の底縁部の断面図を示しており、ガラス張り要素は閉じた状態にあり、窓ガラスは、１つの熱処理ガラス板を含む合わせガラスである。
【図４】本発明の別の実施形態によるガラス張り要素の底縁部の断面図を示しており、ガラス張り要素は閉じた状態にあり、外側位置の窓ガラスは熱処理ガラス板であり、ガスケットＧｂは、開き窓の三重ガラスのガラス板と接触している。
【図５】本発明によるガラス張り要素の２つの開き窓間の垂直接合部の断面図を示しており、ガラス張り要素は閉じた状態にある。
【発明を実施するための形態】
【００５０】
図１は、開いた状態にあるガラス張り要素の底縁部の断面図を示している。図１は、固定フレーム３、ガスケットＧａ１、およびガスケットＧｂ２を示している。この場合に、ガスケットＧａ１は、固定フレーム３に固定され、変改可能なリップを有する。図示したガスケットＧａ１の形状および大きさは、美観面と、水抜きと、開き窓を閉じる力との間の良好なバランスをもたらす。ガスケットＧｂ２は、ガラス張り要素が閉じた状態にあるときに見えないので、Ｇａよりもかなり大きくなっている。ガスケットＧｂ２は、ガスケットＧａに対して内側に配置されている。
【００５１】
図２は、閉じた状態にあるガラス張り要素の底縁部の断面図を示している。すなわち、図２は、図１と同じ要素を示している。固定フレーム３の底縁部は排水システム６を含む。内側に開放可能な開き窓４は、その底縁部で、ビルディングの外部の方にある側にフレーム要素を有さず、ビルディングの内部の方にある側にフレーム要素９を有する。開き窓４は、単一の熱処理ガラス板からなる窓ガラス８を外側位置に有する二重ガラス５を含む。ガスケットＧａ１は、固定フレーム３とガラス板８の底縁部とに連続的に接触している。ガスケットＧｂ２は、固定フレーム３と開き窓４のフレーム要素９とに連続的に接触している。ガスケットＧａ１、Ｇｂ２は、それらの間に、固定フレーム３と開き窓４との間に延びる周縁間空７を画定する。
【００５２】
図３は、ガラス張り要素の底縁部の断面図を示しており、図２と同じ要素を示すが、窓ガラス８は、ポリマー膜によって分離された１つの熱処理ガラス板と別のガラス板とを含む合わせガラスからなる。
【００５３】
図４は、ガラス張り要素の底縁部の断面図を示しており、内側に開放可能な開き窓４は、その底縁部にフレーム要素９を有し、フレーム要素９は、ガラス張り要素が閉じた状態にあるときに見えない。開き窓４は、単一の熱処理ガラス板からなる窓ガラス８を外側位置に有する三重ガラスを含む。ガスケットＧｂ２は、固定フレーム３と開き窓４の複層ガラスのガラス板１０とに連続的に接触している。
【００５４】
図５は、閉じた状態にある２つの開き窓４、１１間の垂直接合部の断面図を示しており、開き窓４、１１は、それらの間に仕切りを有さないが、フレーム要素９がガラス板間に存在している。開き窓Ｃｂ４の外側窓ガラス８は、熱処理ガラス板である。ガスケットＧｃ１２は、開き窓Ｃｂ４に隣接する開き窓Ｃａ１１の垂直縁部のフレーム要素９に固定されている。ガスケットＧｃ１２は、開き窓Ｃａ１１の垂直縁部と開き窓Ｃｂ４の窓ガラス８とに連続的に接触している。ガスケットＧｄ１３は、開き窓Ｃａ１１に隣接する開き窓Ｃｂ４の垂直縁部に固定されている。ガラス張り要素が閉じた状態にあるときに、ガスケットＧｄ１３は、開き窓Ｃａ１１のガラス板と連続的に接触し、ガスケットＧｃ１２に対して内側に配置されている。
【図１】
2019531429.tif 000003
【図２】
2019531429.tif 000004
【図３】
2019531429.tif 000005
【図４】
2019531429.tif 000006
【図５】
2019531429.tif 000007
【国際調査報告】
2019531429.tif 000008
2019531429.tif 000009